(57)【要約】【課題】本発明は、設置スペースの有効利用を可能にするとともに、ユーザの作業効率を向上することのできる画像形成装置の提供を目的とする。【解決手段】本発明では、載置台上に装置を支持する支持脚を装置底面四隅近傍に備えた画像形成装置において、支持脚は、装置前後に平行して配置される一対のレール部材に、載置台幅に合わせて調整自在に設けられている。また、支持脚は、レール部材に設けられた目盛りを参照しながら正確に移動させることが可能である。【選択図】　図１
2004074592.tif 000002
【特許請求の範囲】
【請求項１】
載置台上に装置本体を支持する支持脚を装置底面四隅近傍に備えた画像形成装置において、前記支持脚は、載置台幅に合わせて調整自在に設けられていることを特徴とする画像形成装置。
【請求項２】
前記支持脚は、装置底面に配置される一対のレール部材に移動自在に設けられていることを特徴とする請求項１記載の画像形成装置。
【請求項３】
前記レール部材は、装置前後または装置左右に平行して配置されることを特徴とする請求項２記載の画像形成装置。
【請求項４】
前記レール部材には目盛りが設けられていることを特徴とする請求項２または３記載の画像形成装置。
【請求項５】
前記レール部材は、装置底面に移動自在に設けられていることを特徴とする請求項２乃至４のいずれかに記載の画像形成装置。
【請求項６】
前記支持脚は、装置底面に複数設けられた孔に設置自在に設けられていることを特徴とする請求項１記載の画像形成装置。
【発明の詳細な説明】
【０００１】
【発明の属する技術分野】
本発明は、コピー機、プリンタ、ファクシミリなどの画像形成装置に関し、さらに詳しくはサイドテーブル、キャビネットなどの載置台上に設置されるデスクトップ型の画像形成装置に関する。
【０００２】
【従来の技術】
一般に、デスクトップ型のコピー機、プリンタ、ファクシミリなどの画像形成装置は、サイドテーブル、キャビネットなどの載置台上の空きスペースに設置して使用される。画像形成装置を設置する空きスペースが確保できないときには、ユーザは新たに専用台を購入して、その上に装置本体をセットしている。
【０００３】
ところで、載置台上の空きスペースに装置本体を設置する場合、装置幅が載置台幅に比して大きいことがある。この場合、キャビネットの奥行きが画像形成装置の幅よりも長く、キャビネットの幅が画像形成装置の奥行きよりも長ければ、操作パネル側の装置正面が引出し側のキャビネット正面に対して直角となるようにして、画像形成装置をキャビネット上に設置している。
【０００４】
【発明が解決しようとする課題】
しかしながら、新たに専用台を購入することはユーザにとってコスト面において負担であり、専用台を新たに設置する床上スペースがないこともある。また、専用台を置くことができたとしても、ユーザの作業位置から離れた場所にしか置けなかったときには、ユーザの作業効率を低下させるという問題点がある。すなわち、ファクシミリ受信した記録紙があるか否かを確認する場合、ユーザはその都度作業を中断し、ファクシミリ装置まで歩いて確認しに行く必要がある。
【０００５】
さらに、載置台の正面と装置正面とが同方向に向いていない場合にも、ユーザの作業効率が低下するという問題点がある。すなわち、キャビネットから取り出した原稿をファクシミリ送信する場合、ユーザはファクシミリ装置の操作パネルを操作するために、その都度、装置正面側に移動する必要があった。
【０００６】
そこで、本発明は、上記課題を解決するために、設置スペースの有効利用を可能にするとともに、ユーザの作業効率を向上することのできる画像形成装置の提供を目的とする。
【０００７】
【課題を解決するための手段】
上記目的を達成するために、本発明では、載置台上に装置本体を支持する支持脚を装置底面四隅近傍に備えた画像形成装置において、前記支持脚は、載置台幅に合わせて調整自在に設けられていることを特徴とする。
【０００８】
また、前記支持脚は、装置底面に平行して配置される一対のレール部材に移動自在に設けられていることを特徴とする。前記レール部材は、装置前後または装置左右に平行して配置されており、目盛りが設けられている。さらに、前記レール部材は、装置底面に移動自在に設けられていることを特徴とする。
【０００９】
また、前記支持脚は、装置底面に複数設けられた孔に設置自在に設けられていることを特徴とする。
【００１０】
【発明の実施の形態】
以下、本発明の実施の形態を図面を用いて説明するが、本発明の趣旨を越えない限り、何ら本実施の形態に限定されるものではない。
【００１１】
図１は、本発明の第１実施例を示すファクシミリ装置と装置が設置されるキャビネットの正面図である。図２は、本発明の第１実施例を示すファクシミリ装置の底面図である。図３は、図２のレールの部分拡大図である。
【００１２】
【第１実施例】
まず、図１乃至図３を用いて本発明の第１実施例を説明する。ファクシミリ装置１は、操作パネル２、原稿積載台４、記録紙排出トレイ６、支持脚１０ａ、１０ｂ、１０ｃ、１０ｄ、レール１２ａ、１２ｂ等を備える。キャビネット２０には、引出し部２１が設けられており、引出し部２１はキャビネット２０正面に対して引出し自在である。
【００１３】
デスクトップ型のファクシミリ装置１は、キャビネット２０の上に設置して使用するものとする。図１に示されるように、ファクシミリ装置１の幅は、キャビネット２０の幅よりも大きい。実際に、Ｂ４サイズの記録紙を収納可能な標準的なファクシミリ装置の幅は略４５ｃｍであり、標準的なキャビネットの幅は略３９ｃｍである。したがって、従来のファクシミリ装置にあっては、支持脚は装置底面四隅近傍に固定されているため、ファクシミリ装置１の操作パネル２側と、キャビネット２０の引出し部２１側とが同方向になるように設置することができない。
【００１４】
次に、ファクシミリ装置１の底面について説明する。装置底面は、板金等により平板に形成されており、一対のレール１２ａ、１２ｂが装置正面に対して平行に形成されている。このレール上に、支持脚１０ａ、１０ｂ、１０ｃ、１０ｄが装置底面四隅近傍に設けられている。具体的には、支持脚１０ａ、１０ｂがレール１２ａ上に、支持脚１０ｃ、１０ｄがレール１２ｂ上に設けられている。また、支持脚１０ａ、１０ｂ、１０ｃ、１０ｄは、それぞれ図示されないネジなどの締結手段によって装置底面に固定されている。
【００１５】
レール１２ａ、１２ｂには長孔が形成されており、支持脚１０ａ、１０ｂ、１０ｃ、１０ｄは長孔方向に移動可能である。さらに、レール１２ａ、１２ｂには、装置幅の中心を始点として、左右対称に目盛りがセンチメートル単位で設けられている。当該目盛りは、支持脚の位置決定を容易にするとともに、装置の安定性を損なうことなく支持脚を移動させることを可能とする。
【００１６】
従来のファクシミリ装置にあっては、支持脚は装置底面四隅近傍に固定されているため、ファクシミリ装置１の操作パネル２側と、キャビネット２０の引出し部２１側とが同方向になるように設置することができない。そこで、本発明の支持脚１０ａ、１０ｂ、１０ｃ、１０ｄは、装置底面に調整自在に設けられていて、キャビネット２０の幅に見合うように支持脚１０ａ、１０ｂ、１０ｃ、１０ｄの間隔を定めることができる。
【００１７】
まず、メジャーでキャビネット２０の幅を測定する。ここでは、標準的なキャビネット幅３９ｃｍが測定されたとする。したがって、支持脚１０ａと１０ｂ、１０ｃと１０ｄの間隔がそれぞれ略３６ｃｍとなるように移動させると、ファクシミリ装置１をキャビネット２０上に設置することが可能となる。目盛りは、レール１２ａ、１２ｂの中心を始点としており、支持脚１０ａ、１０ｂ、１０ｃ、１０ｄをそれぞれ１８ｃｍのところまで移動させると、支持脚１０ａと１０ｂ、１０ｃと１０ｄの間隔を３６ｃｍとすることができる。
【００１８】
次に、ネジなどの締結手段を緩めて、支持脚１０ａと１０ｂ、１０ｃと１０ｄをそれぞれレール１２ａ、１２ｂ上に対して移動可能な状態にする。支持脚１０ａ、１０ｂ、１０ｃ、１０ｄを図２の矢印方向に、目盛りで示す１８ｃｍの位置（図３矢印にて示される位置）までそれぞれ移動させる。図３では、支持脚１０ａとレール１２ａが示されているが、支持脚１０ｂとレール１２ａ、支持脚１０ｃ、１０ｄとレール１２ｂについても同様である。支持脚１０ａ、１０ｂ、１０ｃ、１０ｄの位置決定が行なわれた後、ネジなどの締結手段によって再度装置底面に固定する。
【００１９】
その後、装置正面がキャビネット２０の正面と同方向に向いた状態になるように、ファクシミリ装置１をキャビネット２０上に設置する。図２において、実線にて示される支持脚１０ａ、１０ｂ、１０ｃ、１０ｄは一点鎖線にて示されるキャビネット２０の外側にある。しかし、点線にて示される移動後の支持脚１０ａ、１０ｂ、１０ｃ、１０ｄは、全てキャビネット２０の内側に位置しており、キャビネット２０上への設置が可能である。
【００２０】
【第２実施例】
次に、図４を用いて、本発明の第２実施例を説明する。図４は、本発明の第２実施例を示す画像形成装置の底面図である。第２実施例のファクシミリ装置の構成は、第１実施例のファクシミリ装置と同様であり、同じ部分については同一符号を付し、説明を省略する。第２実施例では、ファクシミリ装置１の奥行きに対して、キャビネット２０の奥行きが短い。
【００２１】
第２実施例において、レール１２ａ、１２ｂは装置左右に対して平行に設けられている。また、支持脚１０ａ、１０ｃはレール１２ａ上に、支持脚１０ｂ、１０ｄはレール１２ｂ上にそれぞれ設置されており、長孔方向に対して移動自在である。そこで、支持脚１０ａ、１０ｂ、１０ｃ、１０ｄの位置を、一点鎖線にて示されるキャビネット２０の内側になるように、第１実施例と同様の方法でそれぞれ移動させる。その結果、ファクシミリ装置１をキャビネット２０上へ設置することが可能となる。
【００２２】
【第３実施例】
次に、図５及び図６を用いて、本発明の第３実施例を説明する。第３実施例は、装置底面にレールが予め設けられておらず、四隅近傍に支持脚が固定されている画像形成装置に関するものである。複数のサイズの用紙を使用するユーザは、給紙カセットを増設し、複数設けることがある。この場合、装置本体底面にレールが形成されていたとしても、当該レールを利用することはできない。そこで、本実施例においては、レール部材は別体としている。したがって、装置底面に支持脚が固定されている従来型の画像形成装置においても、レール部材を装置底面に設置することによって、本発明を適用することができる。
【００２３】
図５は、本発明の第３実施例を示すファクシミリ装置の正面図である。図６は、図５の底面図である。
【００２４】
ファクシミリ装置３は、操作パネル３４、原稿積載台３６、記録紙排出トレイ３８、給紙カセット３９、支持脚３０ａ、３０ｂ、３０ｃ、３０ｄ等を備える。支持脚３０ａ、３０ｂ、３０ｃ、３０ｄは、装置底面四隅近傍に設けられている。
【００２５】
まず、支持脚３０ａ、３０ｂ、３０ｃ、３０ｄを装置底面に固定しているネジなどの締結手段を緩め、支持脚３０ａ、３０ｂ、３０ｃ、３０ｄを装置底面から外す。次に、一対のブラケット３２ａ、３２ｂを装置正面に対して平行となるように装置底面に設置する。具体的には、ブラケット３２ａを支持脚３０ａ、３０ｂが設置されていた方向に、ブラケット３２ｂを支持脚３０ｃ、３０ｄが設置されていた方向に、支持脚を取外した後の支持脚固定位置（図示せず）を利用してネジなどの締結手段で固定する。ブラケット３２ａ、３２ｂは、装置底面に設置可能なレール部材であり、長さ方向に長孔及び目盛りが設けられていることは第１実施例と同様であるため、説明を省略する。
【００２６】
次に、ブラケット３２ａ、３２ｂに支持脚３０ａと３０ｂ、３０ｃと３０ｄをそれぞれ設置する過程について説明する。本実施例では、ブラケットに設置する支持脚には、上記取外した支持脚３０ａ、３０ｂ、３０ｃ、３０ｄを利用するものとして説明するが、画像形成装置本体を支持可能な支持脚であれば、ブラケットに専用の支持脚などを使用しても良い。
【００２７】
まず、ファクシミリ装置３を設置するキャビネットの幅を測定する。次に、ブラケット３２の目盛りを参照しながら、支持脚３０ａ、３０ｂ、３０ｃ、３０ｄが全てキャビネット幅に収まるように位置決定し、支持脚３０ａと３０ｂをブラケット３２ａに、支持脚３０ｃと３０ｄをブラケット３２ｂにそれぞれネジなどの締結手段によって固定する。その後、装置正面がキャビネットの正面と同方向となるように、ファクシミリ装置３を設置する。
【００２８】
本実施例において、ブラケット３２ａ、３２ｂは、ファクシミリ装置３の底面に、装置正面に対して平行となるように設置した。しかし、第２実施例と同様に、ファクシミリ装置の奥行きをキャビネットの奥行きに対して調整する必要がある場合、ブラケットを装置左右に対して平行となるように設置することにより、支持脚３０ａ、３０ｂ、３０ｃ、３０ｄの位置を装置奥行き方向に対して調整することが可能となる。
【００２９】
さらに、本実施例においては、ブラケット３２ａ、３２ｂをファクシミリ装置３の底面の設置した後、支持脚３０ａ、３０ｂ、３０ｃ、３０ｄの位置決めを行ない、支持脚３０ａ、３０ｂ、３０ｃ、３０ｄをブラケット３２ａ、３２ｂに固定した。しかし、本発明はこれに限られず、例えば、支持脚３０ａ、３０ｂ、３０ｃ、３０ｄの位置決めを行ないブラケット３２ａ、３２ｂに固定した後、当該ブラケット３２ａ、３２ｂを装置底面に設置してもよい。
【００３０】
【第４実施例】
次に、図７を用いて、本発明の第４実施例を説明する。図７は、本発明の第４実施例を示すファクシミリ装置の底面図である。第３実施例と同一の部分については同一符号を付し、説明を省略する。
【００３１】
本実施例において、ファクシミリ装置３の底面には、ブラケット固定用孔３１が装置端に沿って複数設けられている。例えば、支持脚３０ａ、３０ｃをブラケット３２ａの長孔の各先端部に、支持脚３０ｂ、３０ｄをブラケット３２ｂの長孔の各先端部に、それぞれネジなどの締結手段によって固定しておく。ファクシミリ装置３を設置するキャビネット（図示せず）の幅に応じて、上記各実施例と同様の方法で、ブラケット３２ａ、３２ｂの設置位置を決定する。次に、ブラケット固定用孔３１を利用して、ブラケット３２ａ、３２ｂを装置底面にネジなどの締結手段によって固定する。その結果、ファクシミリ装置３をキャビネット上へ設置することが可能となる。
【００３２】
また、図７においては、ブラケット３２ａ、３２ｂを装置正面に対して垂直となるように設けた。しかし、本実施例はこれに限られず、装置正面に対して平行となるように設置することもできる。その結果、支持脚３０ａ、３０ｂ、３０ｃ、３０ｄの位置は、ファクシミリ装置の奥行き方向に対しても調整可能となる。
【００３３】
さらに、本実施例において、支持脚３０ａ、３０ｂ、３０ｃ、３０ｄは、ブラケット３２ａ、３２ｂ上に移動可能に設けられている。したがって、ブラケット３２ａ、３２ｂの位置を調整し、支持脚３０ａ、３０ｂ、３０ｃ、３０ｄの位置も調整することによって、支持脚３０ａ、３０ｂ、３０ｃ、３０ｄを装置前後左右両方向に移動させることができる。その結果、ファクシミリ装置の幅及び奥行きが、キャビネットの幅及び奥行きに対して短い場合でも、ファクシミリ装置をキャビネット上へ設置することが可能となる。
【００３４】
【第５実施例】
次に、図８を用いて、本発明の第５実施例を説明する。図８は、本発明の第５実施例を示す画像形成装置の底面図である。
【００３５】
ファクシミリ装置５の底面には、支持脚４０ａ、４０ｂ、４０ｃ、４０ｄが四隅近傍に設けられている。また、複数の支持脚固定用孔４１が点在している。支持脚固定用孔４１は、支持脚４０ａ、４０ｂ、４０ｃ、４０ｄをネジなどの締結手段によって装置底面に固定できるように設けられている。
【００３６】
まず、装置底面に支持脚４０ａ、４０ｂ、４０ｃ、４０ｄを固定しているネジなどの締結手段を緩め、支持脚４０ａ、４０ｂ、４０ｃ、４０ｄを装置底面から取外す。次に、ファクシミリ装置５を置くスペースに応じて、支持脚４０ａ、４０ｂ、４０ｃ、４０ｄを設置する最適の支持脚固定用孔４１を探す。最後に、支持脚４０ａ、４０ｂ、４０ｃ、４０ｄをネジなどの締結手段によって装置底面に固定する。
【００３７】
上記各実施例においては、画像形成装置を設置するキャビネットの幅に応じて、装置底面に設けられた支持脚を移動させることによって、画像形成装置の正面とキャビネットの正面とが同方向に向いた状態に設置することが可能となる。その結果、ユーザは効率的に作業を進めることが可能となる。例えば、キャビネット２０の引出し部２１から原稿を取り出し、その原稿をそのまま上方に設置されたファクシミリ装置１の原稿積載台４にセットし、操作パネル２を操作することによって、容易にファクシミリ送信をすることが可能である。これにより、ユーザは作業効率を低下させることなく、画像形成装置を利用することができる。
【００３８】
【発明の効果】
本発明は以上のように構成されるので、以下のような効果を奏する。
【００３９】
載置台上に装置本体を支持する支持脚を装置底面四隅に備えた画像形成装置において、前記支持脚は、載置台幅に合わせて調整自在に設けられている。したがって、従来型の画像形成装置では設置することのできなかった載置台への設置も可能となり、設置スペースを有効に利用することが可能となる。また、支持脚の位置を調整することによって装置の設置方向も適宜選択することができ、ユーザが作業を効率的に進めることができるように画像形成装置を設置することが可能となる。
【００４０】
上記画像形成装置において、前記支持脚は、装置底面に平行して配置される一対のレール部材に移動自在に設けられており、載置台の幅に応じて変更可能である。したがって、従来型の画像形成装置では設置することのできなかった載置台への設置も可能となり、設置スペースを有効に利用することが可能となる。また、支持脚の位置を調整することによって装置の設置方向も調整することができ、ユーザが作業を効率的に進めることができるように画像形成装置を設置することが可能となる。
【００４１】
上記画像形成装置において、前記レール部材は装置前後または装置左右に対して平行に設けられている。したがって、支持脚を装置の幅または奥行きに対して適宜調整することができる。また、前記レール部材は、装置前後または装置左右に対して移動自在に設けられている。したがって、レール部材の位置を移動させることによって、支持脚を装置前後左右両方向に調整することが可能となる。
【００４２】
また、前記レール部材には目盛りが設けられており、支持脚は目盛りを参照しながら移動させることができる。その結果、装置の安定性を損ねることなく支持脚の位置決定を正確に行なうことが可能となる。
【００４３】
また、上記画像形成装置において、前記支持脚は、装置底面に複数設けられた支持脚固定用孔に設置自在に設けられている。したがって、装置底面の任意の位置に支持脚を移動させることができ、従来型の画像形成装置では設置することのできなかった載置台への設置も可能となり、設置スペースを有効に利用することが可能となる。
【図面の簡単な説明】
【図１】図１は、本発明の第１実施例を示す画像形成装置と装置が設置されるキャビネットの正面図である。
【図２】図２は、本発明の第１実施例を示す画像形成装置の底面図である。
【図３】図３は、図２のレールの部分拡大図である。
【図４】図４は、本発明の第２実施例を示す画像形成装置の底面図である。
【図５】図５は、本発明の第３実施例を示す画像形成装置の正面図である。
【図６】図６は、図５の底面図である。
【図７】図７は、本発明の第４実施例を示す画像形成装置の底面図である。
【図８】図８は、本発明の第５実施例を示す画像形成装置の底面図である。
【符号の説明】
１…ファクシミリ装置
２…操作パネル
３…ファクシミリ装置
４…原稿積載台
６…記録紙排出トレイ
１０ａ〜１０ｄ…支持脚
１２ａ、１２ｂ…レール
２０…キャビネット
２１…引出し部
３０ａ〜３０ｄ…支持脚
３１…ブラケット固定用孔
３２ａ、３２ｂ…ブラケット
３４…操作パネル
３６…原稿載置台
３８…記録紙排出トレイ
３９…給紙カセット
４０ａ〜４０ｄ…支持脚
４１…支持脚固定用孔
【図１】
2004074592.tif 000003
【図２】
2004074592.tif 000004
【図３】
2004074592.tif 000005
【図４】
2004074592.tif 000006
【図５】
2004074592.tif 000007
【図６】
2004074592.tif 000008
【図７】
2004074592.tif 000009
【図８】
2004074592.tif 000010